(57)【要約】【課題】この発明は、オペレータによる作業負担を低減でき、信頼性を向上できる券類処理装置、および券類処理システムを提供することを課題とする。【解決手段】券類処理装置１は、銀行券とチケットを混在させて投入し、主搬送路６上に１枚ずつ取り出す取り出し部１１を有する。主搬送路６上には、第１、第２検査部１３、１４、およびバーコードリーダ１５が設けられ、銀行券およびチケットをダブルチェックするとともにチケットからバーコードを読み取る。【選択図】    図１
2004240778.tif 000002
【特許請求の範囲】
【請求項１】
バーコードが付与されたチケットおよび有価証券のうち少なくとも一方を含む券類を投入する投入部と、
この投入部を介して投入された券類を搬送路上に取り出す取り出し部と、
この取り出し部にて搬送路上に取り出された券類を搬送する搬送部と、
この搬送部で搬送される券類を検査する検査部と、
上記搬送部で搬送されるチケットから上記バーコードを読み取るバーコードリーダと、
上記検査部における検査結果に基づいて上記搬送部で搬送される券類を区分する区分部と、
を備えていることを特徴とする券類処理装置。
【請求項２】
上記検査部における検査結果に基づいて区分された券類を施封する施封部をさらに有することを特徴とする請求項１に記載の券類処理装置。
【請求項３】
上記検査部は、互いに独立したＣＰＵを有するとともに夫々独立して券類の券種を検出する第１および第２検査部を有することを特徴とする請求項２に記載の券類処理装置。
【請求項４】
上記第１および第２検査部は、上記搬送路に沿って連続して配置されていることを特徴とする請求項３に記載の券類処理装置。
【請求項５】
上記検査部における検査結果に基づいて券類を排除する排除部をさらに有し、
上記第１および第２検査部は、上記排除部より上記搬送部における搬送方向上流側に設けられていることを特徴とする請求項４に記載の券類処理装置。
【請求項６】
上記第１検査部は、券種の他に、券類の真贋、汚損度、形状などの物理的特徴を検知することを特徴とする請求項３に記載の券類処理装置。
【請求項７】
上記第２検査部およびバーコードリーダは、脱着自在に設けられていることを特徴とする請求項６に記載の券類処理装置。
【請求項８】
特定施設でのみ使用可能な固有のバーコードを付与したチケットを発行する発行機と、
この発行機で発行されたチケットおよび有価証券のうち少なくとも一方の券類の投入を受け付けて動作するゲーム機と、
このゲーム機から取り出した券類を処理する券類処理装置と、
上記発行機で発行したチケットの発行履歴を上記バーコードに関連付けてデータベースで管理するとともに、上記券類処理装置で券類から読み取ったバーコードを上記発行履歴と照合する管理装置と、を備え、
上記券類処理装置は、
上記ゲーム機から取り出した券類を投入する投入部と、
この投入部を介して投入された券類を搬送路上に取り出す取り出し部と、
この取り出し部にて搬送路上に取り出された券類を搬送する搬送部と、
この搬送部で搬送される券類を検査する検査部と、
上記搬送部で搬送される券類から上記バーコードを読み取るバーコードリーダと、
上記検査部における検査結果に基づいて上記搬送部で搬送される券類を券種毎に区分する区分部と、
を備えていることを特徴とする券類処理システム。
【請求項９】
上記券類処理装置は、上記検査部における検査結果に基づいて区分された券類を施封する施封部をさらに備えていることを特徴とする請求項８に記載の券類処理システム。
【請求項１０】
上記検査部は、互いに独立したＣＰＵを有するとともに夫々独立して券類の券種を検出する第１および第２検査部を有することを特徴とする請求項９に記載の券類処理システム。
【請求項１１】
上記第１および第２検査部は、上記搬送路に沿って連続して配置されていることを特徴とする請求項１０に記載の券類処理システム。
【請求項１２】
上記券類処理装置は、上記検査部における検査結果に基づいて券類を排除する排除部をさらに備え、
上記第１および第２検査部は、上記排除部より上記搬送部における搬送方向上流側に設けられていることを特徴とする請求項１１に記載の券類処理システム。
【請求項１３】
上記第１検査部は、券種の他に、券類の真贋、汚損度、形状などの物理的特徴を検知することを特徴とする請求項１０に記載の券類処理システム。
【請求項１４】
上記第２検査部およびバーコードリーダは、上記券類処理装置に対して脱着自在に設けられていることを特徴とする請求項１３に記載の券類処理システム。
【発明の詳細な説明】
【０００１】
【発明の属する技術分野】
この発明は、複数枚の券類を１枚ずつ搬送路上に取り出して検査し、検査結果に基づいて区分する券類処理装置、およびこの券類処理装置を組み込んだ券類処理システムに関する。
【０００２】
【従来の技術】
従来、券類処理装置として、例えば、複数枚の銀行券を金種を混在させて投入し、搬送路上に１枚ずつ取り出して搬送し、各銀行券を検査してその区分先を判定し、この判定結果に基づいて各銀行券を区分する装置が知られている（例えば、特許文献１参照。）。
【０００３】
【特許文献１】
特開２００１−９３０２６号公報（図１）
【０００４】
【発明が解決しようとする課題】
上述した従来の券類処理装置を用いて銀行券以外のヘッダーカード等の券類を混在させて処理する場合、銀行券以外の券類を一旦排除部へリジェクトして、処理終了後に、リジェクトした券類をオペレータの手作業により処理していた。
【０００５】
例えば、特定のゲーム施設でのみ使用可能なゲーミングチケット（以下、単にチケットと称する）を銀行券とともに券類処理装置に投入した場合、銀行券を金種別に区分するとともに、チケットを一旦リジェクトし、バッチ処理終了後に、各チケットに付与されているバーコードをハンドスキャナで読み取っていた。
【０００６】
このため、銀行券とチケットを混在処理した場合、オペレータによる作業負担が大きく、信頼性に欠ける問題があった。
【０００７】
この発明は、以上の点に鑑みなされたもので、その目的は、オペレータによる作業負担を低減でき、信頼性を向上できる券類処理装置、および券類処理システムを提供することにある。
【０００８】
【課題を解決するための手段】
上記目的を達成するため、本発明の券類処理装置は、バーコードが付与されたチケットおよび有価証券のうち少なくとも一方を含む券類を投入する投入部と、この投入部を介して投入された券類を搬送路上に取り出す取り出し部と、この取り出し部にて搬送路上に取り出された券類を搬送する搬送部と、この搬送部で搬送される券類を検査する検査部と、上記搬送部で搬送されるチケットから上記バーコードを読み取るバーコードリーダと、上記検査部における検査結果に基づいて上記搬送部で搬送される券類を区分する区分部と、を備えている。
【０００９】
上記発明によると、チケットと銀行券を混在処理でき、従来のようにチケットを一旦リジェクトする必要がなく、オペレータによる作業負担を低減でき、信頼性を高めることができる。
【００１０】
また、本発明の券類処理システムは、特定施設でのみ使用可能な固有のバーコードを付与したチケットを発行する発行機と、この発行機で発行されたチケットおよび有価証券のうち少なくとも一方の券類の投入を受け付けて動作するゲーム機と、このゲーム機から取り出した券類を処理する券類処理装置と、上記発行機で発行したチケットの発行履歴を上記バーコードに関連付けてデータベースで管理するとともに、上記券類処理装置で券類から読み取ったバーコードを上記発行履歴と照合する管理装置と、を備え、上記券類処理装置は、上記ゲーム機から取り出した券類を投入する投入部と、この投入部を介して投入された券類を搬送路上に取り出す取り出し部と、この取り出し部にて搬送路上に取り出された券類を搬送する搬送部と、この搬送部で搬送される券類を検査する検査部と、上記搬送部で搬送される券類から上記バーコードを読み取るバーコードリーダと、上記検査部における検査結果に基づいて上記搬送部で搬送される券類を券種毎に区分する区分部と、を備えている。
【００１１】
上記発明によると、ゲーム機から取り出した銀行券およびチケットを混在させて券類処理装置へ投入でき、銀行券とチケットを同時に処理できる。これにより、従来のようにチケットを一旦リジェクトして手作業で処理する必要がなくなり、オペレータによる作業負担を低減でき、処理の信頼性を高めることができる。
【００１２】
【発明の実施の形態】
以下、図面を参照しながらこの発明の実施の形態について詳細に説明する。
【００１３】
図１には、この発明の実施の形態に係る券類処理装置１（以下、単に処理装置１と称する）の概略構造を示してある。この処理装置１は、銀行券などの有価証券（以下、銀行券を例にして説明する）と一緒に、カジノなどの特定のゲーム施設で使用する固有のバーコードを付与したゲーミングチケット（以下、単にチケットと称する）を処理することができる。
【００１４】
処理装置１は、区分集積ユニット２、施封ユニット３、および操作表示部４を有する。区分集積ユニット２は、上段ユニット２ａ、および下段ユニット２ｂを有する。各ユニット２ａ、２ｂ、３は、銀行券およびチケット（以下、総称して券類と称する場合もある）を独立して搬送する搬送機構を夫々有する。本実施の形態では、券類をその短手方向に沿って搬送するようにした。
【００１５】
操作表示部４は、表示したボタンにオペレータが触れることにより入力操作を受け付けるタッチパネルを有し、オペレータによる各種操作入力を受け付けるとともに、オペレータに対する各種操作案内を表示する。処理装置１の各ユニット２ａ、２ｂ、３は、操作表示部４を介してオペレータによって設定入力された業務内容に従って動作する。
【００１６】
上段ユニット２ａは、処理対象となる券類の投入を受け付けて、主搬送路６上に１枚ずつ取り出す取り出し部１１（投入部、取り出し部）を有する。本実施の形態では、金種を混在させた複数枚の銀行券とチケットを混合した券類が取り出し部１１を介して投入される。主搬送路６は、区分集積ユニット２内を通って、下段ユニット２ｂの後述する区分集積部２０（区分部）まで延びている。
【００１７】
主搬送路６上には、券類の搬送方向に沿って、整列部１２、第１検査部１３、第２検査部１４、バーコードリーダ１５、搬送ゲートＧ１、Ｇ２、Ｇ３、および５つの区分ゲート１６ａ〜１６ｅが順に配設されている。３つの搬送ゲートＧ１〜Ｇ３、および５つの区分ゲート１６ａ〜１６ｅは、第１、第２検査部１３、１４における検査結果に基づいて、後述する制御部１００によって切り換えられる。特に、搬送ゲートＧ１は、バーコードリーダ１５による読み取り状況に応じて切り換えられる。
【００１８】
整列部１２は、取り出し部１１によって主搬送路６上に取り出された券類の搬送姿勢を検出する複数のセンサ（図示せず）、およびこれら複数のセンサによる検出結果に基づいて当該券類の搬送姿勢を補正する補正機構（図示せず）を有する。
【００１９】
第１検査部１３は、整列部１２にて搬送姿勢が補正された券類から後述する各種特徴量を検出する複数のセンサ、およびこれら複数のセンサを介して当該券類から検出した各種特徴量に基づいて当該券類の搬送先を判定する判定部を有する。
【００２０】
第２検査部１４は、第１検査部１３を通過した券類から後述する各種特徴量を再び検出する複数のセンサ、およびこれら複数のセンサを介して当該券類から検出した各種特徴量に基づいて当該券類の搬送先を判定する判定部を有する。第１、第２検査部１３、１４は、それぞれ、各券類を独立して検査する。
【００２１】
バーコードリーダ１５は、第１、第２検査部１３、１４を通過した券類のうちチケットに付与されているバーコードを読み取る。第１、第２検査部１３、１４、およびバーコードリーダ１５については、後に詳述する。
【００２２】
搬送ゲートＧ１は、主搬送路６を介して搬送されている券類をリジェクト部１７（排除部）へ選択的に導くように切り換えられる。リジェクト部１７には、取り出し部１１を介して主搬送路６上に取り出された券類のうち第１、第２検査部１３、１４を介して排除すべき券類であることが判断された券類が送り込まれるとともに、バーコードリーダ１５でバーコードの読み取りができなかったチケットが送り込まれる。
【００２３】
搬送ゲートＧ２は、主搬送路６を介して搬送されている券類を反転搬送路６ａに選択的に指向させるように切り換えられる。反転搬送路６ａは、図示しない搬送ベルトをその走行方向に沿って１８０°ねじった構造を有し、券類の表裏を反転させる。反転搬送路６ａを迂回する券類は、迂回搬送路６ｂを通る。
【００２４】
上段ユニット２ａの出口付近に設けられた搬送ゲートＧ３は、主搬送路６を分岐搬送路８へ選択的に分岐させる。分岐搬送路８は、施封ユニット３内を通って略水平に延びている。
【００２５】
５つの区分ゲート１６ａ〜１６ｅは、搬送ゲートＧ３を通過して主搬送路６を介して下段ユニット２ｂへ送り込まれた券類を所定の集積先へ導く。券類の集積先は、第１、第２検査部１３、１４を介して制御部１００において判定されており、この第１、第２検査部１３、１４における判定結果に基づいて区分ゲート１６ａ〜１６ｅが選択的に動作される。
【００２６】
区分ゲート１６ａ〜１６ｅよる券類の集積先として、６つの区分集積部２０ａ〜２０ｆが設けられている。主搬送路６に沿って最も上流側にある区分ゲート１６ａに対応して第１の区分集積部２０ａが設けられ、２番目の区分ゲート１６ｂに対応して第２の区分集積部２０ｂが設けられ、３番目の区分ゲート１６ｃに対応して第３の区分集積部２０ｃが設けられ、４番目の区分ゲート１６ｄに対応して第４の区分集積部２０ｄが設けられ、５番目の区分ゲート１６ｅに対応して第５の区分集積部２０ｅおよび第６の区分集積部２０ｆが設けられている。
【００２７】
第１乃至第６の区分集積部２０ａ〜２０ｆ（以下、総称して区分集積部２０とする場合もある）は、対応する区分ゲート１６ａ〜１６ｅ（以下、総称して区分ゲート１６とする場合もある）を介して主搬送路６から分岐された券類を一時的に集積する一時集積部２１、一時集積部２１の底部に設けられたシャッタ２２、シャッタ２２を介して一時集積部２１から落下した券類を受け取るカセット２３、および一時集積部２１の上方に設けられたプッシャ２４をそれぞれ有する。プッシャ２４は、一時集積部２１内の券類をシャッタ２２を介してカセット２３内へ押し込むように機能する。
【００２８】
また、区分ゲート１６と一時集積部２１との間には、券類を主搬送路６から分離させるための羽根車２５がそれぞれ設けられている。さらに、各カセット２３は、下段ユニット２ｂに対して脱着可能に設けられており、オペレータの手作業により下段ユニット２ｂから取り外されるようになっている。
【００２９】
一方、施封ユニット３を通って延びた分岐搬送路８上には、２つの区分ゲート２６ａ、２６ｂが設けられている。各区分ゲート２６ａ、２６ｂに対応して、分岐搬送路８の下方には、集積部２７ａ、２７ｂが設けられている。２つの区分ゲート２６ａ、２６ｂを選択的に切り換えることにより分岐搬送路８から分岐された券類は、羽根車２８ａ、２８ｂを介して分岐搬送路８から分離されて対応する集積部２７ａ、２７ｂに集積される。
【００３０】
２つの集積部２７ａ、２７ｂの下方には、各集積部に集積された券類を受け取って所定枚数毎に施封する施封部２９が設けられている。本実施の形態では、各集積部２７ａ、２７ｂに集積された１００枚の券類を施封部２９にて紙帯によって施封するようにした。尚、この処理装置１では、券類として銀行券の他にチケットを処理可能であるため、施封部２９において１００枚のチケットを施封することもできる。
【００３１】
施封ユニット３の区分集積ユニット２から離間した側の側壁３ａには、セーフティーポケット３０が設けられている。セーフティーポケット３０には、分岐搬送路８を介して施封部を通過した券類が集積される。
【００３２】
また、区分集積ユニット２を通って延びた主搬送路６上、および施封ユニット３を通って延びた分岐搬送路８上には、券類の通過を検知して券類の搬送位置や搬送状態を監視するための２６個のセンサ３１〜５６が設けられている。
【００３３】
図２には、上述した第１、第２検査部１３、１４の構造を示してある。第１、第２検査部１３、１４は、共通ベース６１によって結合されている。このため、主搬送路６を介して第１、第２検査部１３、１４を通過する券類の搬送状態が安定する。
【００３４】
第１検査部１３は、主搬送路６に沿って券類を搬送するための複数対の搬送ローラ６２、券類を透過する光を検出して券類の画像を検出する透過センサ６３、券類の表面および裏面で反射された光を検出して画像を検出する反射センサ６４、６５、券類に印刷したインクの磁気特性を検出する磁気センサ６６、インクの蛍光成分を検出する蛍光センサ６７、および券類の厚さを検出する厚さセンサ６８を有する。また、第１検査部１３は、上述した各センサ６３〜６８を介して券類から検出する各種特徴量に基づいて、当該券類の真贋、汚損度、形状などの物理的特徴、および当該券類の搬送先を判定する判定部６９ａを有する。
【００３５】
第２検査部１４は、第１検査部１３と同じ透過センサ６３、および２つの反射センサ６４、６５を有する。つまり、第２検査部１４は、磁気センサ６６、蛍光センサ６７、および厚さセンサ６８を必須としない。また、第２検査部１４は、第１検査部１３の判定部６９ａと独立したＣＰＵを有する判定部６９ｂを有する。言い換えると、第１検査部１３の判定部６９ａおよび第２検査部１４の判定部６９ｂは、互いに独立したＣＰＵを有する。尚、第２検査部１４は、共通ベース６１から取り外し可能となっており、処理装置１に対して脱着自在となっている。
【００３６】
第１、第２検査部１３、１４の透過センサ６３および２つの反射センサ６４、６５は、夫々独立して各券類の券種を検出する。例えば、券類がチケットである場合、このチケットを利用可能なゲーム施設のマークや名称などをセンサ６３〜６５で検出し、当該チケットが当該施設で利用可能なチケットであるか否かの判断材料とする。つまり、３つのセンサ６３、６４、６５は、検出対象となる券類が銀行券である場合にはその金種を検出し、チケットである場合には当該ゲーム施設のチケットであるか否かを検出する。
【００３７】
このとき、各判定部６９ａ、６９ｂは、後述するデータベースに予め用意したイメージパターンと実際に検出した画像パターンを照合（テンプレートマッチング）し、その差分量を予め設定したスライス基準値と比較し、差分量が基準値を下回った場合にパターン一致を判断する。
【００３８】
また、第１検査部１３にだけある磁気センサ６６、蛍光センサ６７、厚さセンサ６８は、上述した券種の他に、券類の真贋、汚損度、形状などの物理的特徴を検出する。
【００３９】
言い換えると、第１検査部１３の判定部６９ａは、複数のセンサ６３〜６８を介して各券類から検出した券種および上述した物理的特徴に基づいて、当該券類の搬送先を判定し、第２検査部１４の判定部６９ｂは、複数のセンサ６３〜６５を介して各券類から検出した券種に基づいて、当該券類の搬送先を判定する。そして、処理装置１の後述する制御部１００が、各判定部６９ａ、６９ｂの判定結果に基づいて、当該券類を区分する。
【００４０】
図３には、上述したバーコードリーダ１５を示してある。本実施の形態で取り扱うバーコードＣは、ＩＴＦ（Ｉｎｔｅｒｌｅａｖｅ  ２  ｏｆ  ５）やＣｏｄｅ−３９、ＮＷ−７等の一般的なコードである。尚、このバーコードリーダ１５も、処理装置１に対して脱着自在に設けられている。
【００４１】
バーコードリーダ１５は、主搬送路６を介して搬送されるチケットＴに印刷されたバーコードＣに光を当てる発光部７１、およびチケットＴからの反射光を受光する受光部７２を有する。チケットＴからの反射光は、図示しない光電変換部で光電変換されて２値化され、コード情報として出力される。
【００４２】
本実施の形態では、チケットＴの短手方向に沿った一端辺Ｔ１に沿ってバーコードＣを印刷し、チケットＴを短手方向に搬送して処理するようにしたため、チケットＴの搬送方向（図中矢印ｔ方向）と交差する方向にバーが延びている。この位置関係を採用すると、バーコードリーダ１５を主搬送路６に対向した所定位置に固定的に配置でき、構造を簡略化できる。
【００４３】
これに対し、短手方向に搬送するチケットの長手方向に沿った端辺に沿ってバーコードを印刷した場合、チケットの搬送方向と平行にバーが延びることになり、搬送方向と直交する方向にバーコードを高速スキャンする必要がある。この場合、例えば、１０００回〜２０００回スキャン／秒程度の極めて高速な工業用のバーコードリーダが必要となり、装置が高価になってしまう。
【００４４】
ところで、本実施の形態では、券類の搬送方向に沿ってリジェクト部１７より上流側に上述した第１、第２検査部１３、１４、およびバーコードリーダ１５を配置した。これにより、第１、第２検査部１３、１４で排除すべき券類であることが判定された券類をリジェクト部１７へ排除でき、バーコードリーダ１５でバーコードの読み取りができなかったチケットをリジェクト部１７へ排除できるようになっている。尚、券類の排除先として、リジェクト部１７の他に、セーフティーポケット３０をアサインしても良い。
【００４５】
図４には、上述した処理装置１の動作を制御する制御系のブロック図を示してある。
【００４６】
処理装置１は、メモリ１０１に格納された制御プログラムに従って装置全体を制御する制御部１００を有する。制御部１００には、上述した操作表示部４を備えたテラーマシン１０２が接続されている。また、制御部１００には、搬送コントローラ１０３、およびメカコントローラ１０４が接続されている。
【００４７】
搬送コントローラ１０３には、上段ユニット２ａ内を通って延びた主搬送路６を介して券類を搬送する上段搬送機構１１１、下段ユニット２ｂ内を通って延びた主搬送路６を介して券類を搬送する下段搬送機構１１２、施封ユニット３内を通って延びた分岐搬送路８を介して券類を搬送する施封搬送機構１１３、上述した複数のセンサ３１〜５６、搬送ゲートＧ１〜Ｇ３、および複数の区分ゲート１６ａ〜１６ｅ、２６ａ、２６ｂが接続されている。上段搬送機構１１１、下段搬送機構１１２、および施封搬送機構１１３は、本発明の搬送部として機能する。
【００４８】
メカコントローラ１０４には、上述した取り出し部１１、整列部１２、区分集積部２０のシャッタ２２およびプッシャ２４、および施封部２９が接続されている。
【００４９】
また、制御部１００には、上述した第１検査部１３の判定部６９ａ、第２検査部１４の判定部６９ｂ、およびバーコードリーダ１５が接続されている。
【００５０】
図５には、上述した第１検査部１３、第２検査部１４、およびバーコードリーダ１５と、制御部１００と、の間の接続関係を模式的に示してある。本実施の形態では、第１、第２検査部１３、１４が同一のインターフェース（Ｉ／Ｆ）１８を介して制御部１００に接続され、バーコードリーダ１５が別のＩ／Ｆ１９を介して制御部１００に接続されている。しかし、第１、第２検査部１３、１４、およびバーコードリーダ１５は、それぞれ個別のＩ／Ｆを介して制御部１００に接続されても良く、同一のＩ／Ｆを介して制御部１００に接続されても良い。いずれにしても、全ての検知情報は、制御部１００へ通知され、券類の搬送先に関する情報、計数情報、券種（金種を含む）情報、コード情報等、全ての情報が制御部１００で吸い上げられる。
【００５１】
次に、上記のように構成された処理装置１による券類の処理動作について、図６に示すフローチャートを参照して説明する。
【００５２】
まず、上段ユニット２ａの取り出し部１１に処理対象となる複数枚の券類がセットされ（ステップ１）、操作表示部４を介して業務内容が設定され、設定された業務内容に基づく業務タスクがスタートされる（ステップ２）。
【００５３】
業務タスクがスタートすると、券類の取り出し動作が開始されて複数枚の券類が主搬送路６上に順次取り出される（ステップ３）。主搬送路６上に取り出された券類は、整列部１２を通過されて搬送姿勢が補正（ステップ４）された後、第１、第２検査部１３、１４を介して各種特徴量が読み取られ、バーコードリーダ１５を介してチケットのバーコードが読み取られ、制御部１００で各券類の搬送先が判定される（ステップ５）。
【００５４】
搬送先として区分集積部２０がアサインされた（ステップ６；ＮＯ）各券類は、操作部４にて設定された業務内容および第１、第２検査部１３、１４による検査結果に基づいて、区分ゲート１６ａ〜１６ｄを選択的に切り換えることにより、所定の区分集積部２０へ区分集積される（ステップ７）。そして、各一時集積部２１において、所定枚数の券類が集積されると（ステップ８；ＹＥＳ）、当該券類の計数が確定され、シャッタ２２が開かれてプッシャ２４が作動され、集積した券類が対応するカセット２３へ収納される（ステップ９）。
【００５５】
一方、搬送先として施封集積部２７がアサインされた（ステップ６；ＹＥＳ）券類は、搬送ゲートＧ３および区分ゲート２６ａ、２６ｂを選択的に切り換えることにより、所定の施封集積部２７ａ、２７ｂへ区分集積される（ステップ１０）。そして、各集積部２７ａ、２７ｂにおいて、１００枚の券類が集積されると（ステップ１１；ＹＥＳ）、当該１００枚の券類の計数が確定され、１００枚の券類が施封部２９へ供給されて紙帯により施封される（ステップ１２）。
【００５６】
尚、バーコードリーダ１５を介してチケットから読み取ったコード情報は、制御部１００およびテラーマシン１０２を介して、後述するホスト機に送信され、後述するデータベースで管理される。
【００５７】
以上のように、本実施の形態の処理装置１によると、銀行券の他にバーコードを付与したチケットを混在させて処理できるため、従来のように銀行券以外の券類をリジェクトして別々に処理する必要がなく、オペレータによる作業負担を低減でき、信頼性を向上できる。
【００５８】
また、本実施の形態によると、チケットを銀行券と同様にいかなる搬送先へもアサインできるため、チケットを種類別に区分することができ、所定枚数のチケットを施封することもできる。
【００５９】
また、本実施の形態によると、バーコードリーダ１５によって混在処理するチケットのバーコードを読み取ることができるとともに、主搬送路６に沿って並設した２つの検査部１３、１４によって各券類（銀行券およびチケット）を２回ずつ検査（ダブルチェック）できるので、例えば、カジノの規定に対応できる。つまり、カジノでは、ゲーム機から集めた銀行券を計数して施封する場合、銀行券のダブルチェックが義務づけられている。また、カジノのゲーム機で使用するチケットは、銀行券と分けて所定の区分先へ集積して処理する必要があり、チケットを所定枚数毎に施封する要求もある。
【００６０】
ところで、本実施の形態の処理装置１を銀行券だけを処理する装置として利用する場合、図７に示すように、第２検査部１４およびバーコードリーダ１５を取り外して運用することもできる。つまり、カジノのようにダブルチェックを必要としない処理では、第２検査部１４は不必要であり、且つチケットを混在処理しない場合にはバーコードリーダ１５が不必要である。このため、第２検査部１４およびバーコードリーダ１５を処理装置１から取り外しても良い。
【００６１】
また、処理装置１に投入する１バッチ分の銀行券に、複数の顧客から集めた銀行券が含まれる場合、顧客毎に用意したヘッダーカードを所定位置に挿入した銀行券を処理装置１へ投入する。この場合、図８に示すように、第２検査部１４だけを処理装置１から取り外して運用すれば良い。そして、銀行券を第１検査部１３で検査してバーコードリーダ１５でヘッダーカードからバーコードを読み取る。
【００６２】
次に、上述した処理装置１を含む本発明の実施の形態に係る券類処理システム２００（以下、単にシステム２００と称する）について、図９を参照して説明する。ここでは、システム２００をカジノに適用した場合を例にとって説明する。
【００６３】
システム２００は、カジノの売り上げなど各種データを集計するとともに、店内に設置された複数台のゲーム機２０１の稼働状況などを監視するホスト機２０２（管理装置）を有する。ホスト機２０２は、各種データを管理するためのデータベース２０３を備えている。
【００６４】
ホスト機２０２には、上述した処理装置１のテラーマシン１０２が複数台接続されているとともに、施設の出入口に設置された発行機２０４、および払戻機２０５が接続されている。
【００６５】
処理装置１は、各ゲーム機２０１に投入された銀行券およびチケットを処理する。つまり、各ゲーム機２０１から取り出された銀行券およびチケットが処理装置１の取り出し部１１を介して投入される。
【００６６】
発行機２０４は、カジノの利用客から現金の投入を受け付けて、利用客が希望する額面のゲーミングチケットを発行する。この際、チケットには、当該取引に固有のバーコード（図３）が印刷される。バーコードは、当該カジノが発行するチケットであることを識別するための情報や発行金額、日時、発行機番号等に関する発行履歴に関する情報に関連付けて発行される。発行されたバーコードは、対応する発行履歴に関連付けてデータベース２０３で管理される。つまり、チケットを発行した際、発行履歴にコード情報（バーコード）が付与されてホスト機２０２に送信され、データベース２０３に記憶される。
【００６７】
払戻機２０５は、利用客により投入されたチケットからバーコードを読み取る。この読み取ったコード情報は、ホスト機２０２が管理するデータベース２０３に照会されて該当する発行履歴が読み出される。そして、払戻機２０５は、当該カジノが発行したチケットであることを判断した場合に限り、読み出した発行履歴基づく金額を利用客に払い戻す。
【００６８】
また、ホスト機２０２は、処理装置１のバーコードリーダ１５を介してチケットから読み取ったコード情報をデータベース２０３で管理する発行履歴に照会し、発行履歴がデータベース２０３に存在するか否かを判断する。そして、発行履歴の有無により、当該チケットが当該カジノが発行したチケットであるか否かを判断する。処理装置１は、この判断の結果に基づいて、当該チケットをリジェクトすべきか否かを判断する。
【００６９】
以上のように、本実施の形態のシステム２００によると、各ゲーム機２０１に投入された銀行券およびチケットを混在させた状態で処理装置１に投入して処理できる。このため、従来のようにチケットを一旦リジェクトして銀行券と別々に処理する必要がなく、オペレータによる作業負担を軽減できるとともに、処理の信頼性を高めることができる。
【００７０】
また、このシステム２００によると、システム２００が発行したチケットの発行履歴をバーコードに関連付けてホスト機２０２で管理するため、払戻機２０５や各ゲーム機２０１にチケットが投入された際に、他店のチケットを瞬時に判断でき、チケットの不正使用を容易に排除できる。
【００７１】
尚、この発明は、上述した実施の形態に限定されるものではなく、この発明の範囲内で種々変形可能である。例えば、上述した実施の形態では、本発明の券類処理装置および券類処理システムをカジノに適用した場合について説明したが、これに限らず、パチンコ店や他の遊戯施設に本発明を適用しても良い。
【００７２】
【発明の効果】
以上説明したように、この発明の券類処理装置、および券類処理システムは、上記のような構成および作用を有しているので、オペレータによる作業負担を低減でき、信頼性を向上できる。
【図面の簡単な説明】
【図１】この発明の実施の形態に係る券類処理装置を示す概略図。
【図２】図１の処理装置に組み込まれた第１、第２検査部を示す概略図。
【図３】図１の処理装置に組み込まれたバーコードリーダを示す斜視図。
【図４】図１の処理装置の動作を制御する制御系を示すブロック図。
【図５】第１検査部、第２検査部、およびバーコードリーダと制御部との接続関係を説明するための図。
【図６】図１の処理装置による処理動作を説明するためのフローチャート。
【図７】図５の第２検査部およびバーコードリーダを取り外した使用例を説明するための図。
【図８】図５の第２検査部を取り外した使用例を説明するための図。
【図９】図１の券類処理装置を有する本発明の実施の形態に係る券類処理システムを示すブロック図。
【符号の説明】
１…券類処理装置、２…区分集積ユニット、２ａ…上段ユニット、２ｂ…下段ユニット、３…施封ユニット、４…操作表示部、６…主搬送路、８…分岐搬送路、１１…取り出し部、１２…整列部、１３…第１検査部、１４…第２検査部、１５…バーコードリーダ、１６…区分ゲート、１７…リジェクト部、２０…区分集積部、２１…一時集積部、２２…シャッタ、２３…カセット、２４…プッシャ、２５…羽根車、２６…区分ゲート、２７…集積部、２８…羽根車、２９…施封部、３０…セーフティーポケット、１００…制御部、２００…券類処理システム、２０１…ゲーム機、２０２…ホスト機、２０３…データベース、２０４…発行機、２０５…払戻機、Ｔ…ゲーミングチケット。
【図１】
2004240778.tif 000003
【図２】
2004240778.tif 000004
【図３】
2004240778.tif 000005
【図４】
2004240778.tif 000006
【図５】
2004240778.tif 000007
【図６】
2004240778.tif 000008
【図７】
2004240778.tif 000009
【図８】
2004240778.tif 000010
【図９】
2004240778.tif 000011